(57)【要約】【課題】差別用語や卑猥用語などの有害な情報および外部のホームページへのリンクを事前に無効にして、他の情報は閲覧可能のままでホームページを提供することができる会員制コミュニティサイトの記載制限システム、記載制限方法および記載制限プログラムを提供する。【解決手段】コミュニティサイト４内に開設されるホームページの制限記載事項を記憶する。会員情報端末３からホームページのデータを取得する。取得されたホームページのデータの中から制限記載事項を検索する。検索された制限記載事項を無効にするようホームページのデータを改変する。改変されたホームページのデータを記憶する。検索された制限記載事項の検索情報を会員情報端末３に送信する。記憶されたホームページのデータをコミュニティサイト４内に公開する。【選択図】図１
2004164140.tif 000002
【特許請求の範囲】
【請求項１】
コンピュータネットワークを介して複数の会員情報端末が接続される会員制コミュニティサイトの記載制限システムであって、
前記コミュニティサイト内に開設されるホームページの制限記載事項を記憶する制限記憶手段と、
前記会員情報端末からホームページのデータを取得するＨＰ取得手段と、
前記ＨＰ取得手段で取得されたホームページのデータの中から前記制限記憶手段に記憶された制限記載事項を検索する制限検索手段と、
前記制限検索手段で検索された制限記載事項を無効にするよう前記ＨＰ取得手段で取得されたホームページのデータを改変するＨＰ改変手段と、
前記ＨＰ改変手段で改変されたホームページのデータを記憶するＨＰ記憶手段と、
前記制限検索手段で検索された制限記載事項の検索情報を前記会員情報端末に送信する検索情報送信手段と、
前記ＨＰ記憶手段に記憶されたホームページのデータを前記コミュニティサイト内に公開するＨＰ公開手段とを有することを、
特徴とする会員制コミュニティサイトの記載制限システム。
【請求項２】
前記コミュニティサイト内に開設済みのホームページのアドレスを記憶するアドレス記憶手段を有し、
前記制限記載事項はリンク先アドレスを示す記載事項から成り、
前記ＨＰ改変手段は前記制限検索手段で検索された制限記載事項が前記アドレス記憶手段に記憶されたアドレスと不一致の場合に前記制限記載事項を無効にするよう前記ＨＰ取得手段で取得されたホームページのデータを改変することを、
特徴とする請求項１記載の会員制コミュニティサイトの記載制限システム。
【請求項３】
前記ＨＰ改変手段は、前記ＨＰ取得手段で取得されたホームページのデータから前記制限検索手段で検索された制限記載事項を削除することを、特徴とする請求項１または２記載の会員制コミュニティサイトの記載制限システム。
【請求項４】
前記ＨＰ改変手段は、前記ＨＰ取得手段で取得されたホームページのデータに前記制限検索手段で検索された制限記載事項のリンクのコマンドを無効にするデータを追加することを、特徴とする請求項２記載の会員制コミュニティサイトの記載制限システム。
【請求項５】
前記ＨＰ改変手段は、前記ＨＰ取得手段で取得されたホームページのデータに前記制限検索手段で検索された制限記載事項によるリンクを制限するコマンドを追加することを、特徴とする請求項２記載の会員制コミュニティサイトの記載制限システム。
【請求項６】
前記ＨＰ公開手段で公開されたホームページのアドレスを前記アドレス記憶手段に追加して記憶するアドレス追加手段を有することを、特徴とする請求項２，３，４または５記載の会員制コミュニティサイトの記載制限システム。
【請求項７】
コンピュータネットワークを介して複数の会員情報端末が接続される会員制コミュニティサイトの記載制限方法であって、
前記コミュニティサイト内に開設されるホームページの制限記載事項を記憶する制限記憶ステップと、
前記会員情報端末からホームページのデータを取得するＨＰ取得ステップと、
前記ＨＰ取得ステップで取得されたホームページのデータの中から前記制限記憶ステップで記憶された制限記載事項を検索する制限検索ステップと、
前記制限検索ステップで検索された制限記載事項を無効にするよう前記ＨＰ取得ステップで取得されたホームページのデータを改変するＨＰ改変ステップと、
前記ＨＰ改変ステップで改変されたホームページのデータを記憶するＨＰ記憶ステップと、
前記制限検索ステップで検索された制限記載事項の検索情報を前記会員情報端末に送信する検索情報送信ステップと、
前記ＨＰ記憶ステップで記憶されたホームページのデータを前記コミュニティサイト内に公開するＨＰ公開ステップとを有することを、
特徴とする会員制コミュニティサイトの記載制限方法。
【請求項８】
コンピュータネットワークを介して複数の会員情報端末が接続される会員制コミュニティサイトの記載制限プログラムであって、
コンピュータを、
前記コミュニティサイト内に開設されるホームページの制限記載事項を記憶する制限記憶手段と、
前記会員情報端末からホームページのデータを取得するＨＰ取得手段と、
前記ＨＰ取得手段で取得されたホームページのデータの中から前記制限記憶手段に記憶された制限記載事項を検索する制限検索手段と、
前記制限検索手段で検索された制限記載事項を無効にするよう前記ＨＰ取得手段で取得されたホームページのデータを改変するＨＰ改変手段と、
前記ＨＰ改変手段で改変されたホームページのデータを記憶するＨＰ記憶手段と、
前記制限検索手段で検索された制限記載事項の検索情報を前記会員情報端末に送信する検索情報送信手段と、
前記ＨＰ記憶手段に記憶されたホームページのデータを前記コミュニティサイト内に公開するＨＰ公開手段として、
機能させるための会員制コミュニティサイトの記載制限プログラム。
【発明の詳細な説明】
【０００１】
【発明の属する技術分野】
本発明は、インターネットなどのコンピュータネットワークを介して複数の会員情報端末が接続される会員制コミュニティサイトの記載制限システム、記載制限方法および記載制限プログラムに関する。
【０００２】
【従来の技術】
従来、一般的なインターネットなどのコンピュータネットワークでは、ホームページの開設者がホームページ内に他のホームページのアドレス情報およびリンクコマンドを記載することにより、ホームページ相互間のリンクを容易に行うことができるようになっており、リンクは自由に行われている。また、ホームページ内の記載事項についても、ホームページ開設者が自由に記載できるようになっている。
【０００３】
しかしながら、このような従来のリンクでは、有害な情報を含んだホームページにリンクすることも自由である。例えば、未成年者にとって有害な成人向けのホームページや、差別用語や卑猥用語などが記載されているホームページへのリンクも自由であるため、安心して子供に閲覧させることができない。また、このようなホームページをあらかじめ選別することもきわめて困難である。
【０００４】
そこで、有害な情報などを提供するホームページの閲覧を制限しようとする従来技術として、特開２００２−２９７４７２号公報に示すホームページ閲覧システムがある。すなわち、閲覧を認める複数のホームページのアドレス情報を登録した特殊インターネットサービスプロバイダへの接続により、事前に閲覧が認められた特定のホームページのみを閲覧させるものである。
【発明が解決しようとする課題】
【０００５】
しかしながら、従来のホームページ閲覧システムでは、ホームページ内の一部の情報によりそのホームページ全体の閲覧が制限されるため、そのホームページ内の他の有用な情報までもが閲覧できなくなってしまうという課題があった。
【０００６】
本発明は、このような従来の課題に着目してなされたもので、差別用語や卑猥用語などの有害な情報および外部のホームページへのリンクを事前に無効にして、他の情報は閲覧可能のままでホームページを提供することができる会員制コミュニティサイトの記載制限システム、記載制限方法および記載制限プログラムを提供することを目的としている。
【０００７】
【課題を解決するための手段】
上記目的を達成するために、本発明に係る会員制コミュニティサイトの記載制限システムは、コンピュータネットワークを介して複数の会員情報端末が接続される会員制コミュニティサイトの記載制限システムであって、前記コミュニティサイト内に開設されるホームページの制限記載事項を記憶する制限記憶手段と、前記会員情報端末からホームページのデータを取得するＨＰ取得手段と、前記ＨＰ取得手段で取得されたホームページのデータの中から前記制限記憶手段に記憶された制限記載事項を検索する制限検索手段と、前記制限検索手段で検索された制限記載事項を無効にするよう前記ＨＰ取得手段で取得されたホームページのデータを改変するＨＰ改変手段と、前記ＨＰ改変手段で改変されたホームページのデータを記憶するＨＰ記憶手段と、前記制限検索手段で検索された制限記載事項の検索情報を前記会員情報端末に送信する検索情報送信手段と、前記ＨＰ記憶手段に記憶されたホームページのデータを前記コミュニティサイト内に公開するＨＰ公開手段とを有することを、特徴とする。
【０００８】
本発明に係る会員制コミュニティサイトの記載制限方法は、コンピュータネットワークを介して複数の会員情報端末が接続される会員制コミュニティサイトの記載制限方法であって、前記コミュニティサイト内に開設されるホームページの制限記載事項を記憶する制限記憶ステップと、前記会員情報端末からホームページのデータを取得するＨＰ取得ステップと、前記ＨＰ取得ステップで取得されたホームページのデータの中から前記制限記憶ステップで記憶された制限記載事項を検索する制限検索ステップと、前記制限検索ステップで検索された制限記載事項を無効にするよう前記ＨＰ取得ステップで取得されたホームページのデータを改変するＨＰ改変ステップと、前記ＨＰ改変ステップで改変されたホームページのデータを記憶するＨＰ記憶ステップと、前記制限検索ステップで検索された制限記載事項の検索情報を前記会員情報端末に送信する検索情報送信ステップと、前記ＨＰ記憶ステップで記憶されたホームページのデータを前記コミュニティサイト内に公開するＨＰ公開ステップとを有することを、特徴とする。
【０００９】
本発明に係る会員制コミュニティサイトの記載制限プログラムは、コンピュータネットワークを介して複数の会員情報端末が接続される会員制コミュニティサイトの記載制限プログラムであって、コンピュータを、前記コミュニティサイト内に開設されるホームページの制限記載事項を記憶する制限記憶手段と、前記会員情報端末からホームページのデータを取得するＨＰ取得手段と、前記ＨＰ取得手段で取得されたホームページのデータの中から前記制限記憶手段に記憶された制限記載事項を検索する制限検索手段と、前記制限検索手段で検索された制限記載事項を無効にするよう前記ＨＰ取得手段で取得されたホームページのデータを改変するＨＰ改変手段と、前記ＨＰ改変手段で改変されたホームページのデータを記憶するＨＰ記憶手段と、前記制限検索手段で検索された制限記載事項の検索情報を前記会員情報端末に送信する検索情報送信手段と、前記ＨＰ記憶手段に記憶されたホームページのデータを前記コミュニティサイト内に公開するＨＰ公開手段として、機能させる。
【００１０】
本発明に係る会員制コミュニティサイトの記載制限システム、記載制限方法および記載制限プログラムは、制限記載事項には差別用語、卑猥用語などを含み、これら差別用語、卑猥用語などを事前に無効にして閲覧できないようにし、他の情報は閲覧可能のままでホームページを提供することができる。このため、ホームページ内の一部の情報が無効になっても、そのホームページ内の他の有用な情報は閲覧することができる。
【００１１】
本発明に係る会員制コミュニティサイトの記載制限システムは、前記コミュニティサイト内に開設済みのホームページのアドレスを記憶するアドレス記憶手段を有し、前記制限記載事項はリンク先アドレスを示す記載事項から成り、前記ＨＰ改変手段は前記制限検索手段で検索された制限記載事項が前記アドレス記憶手段に記憶されたアドレスと不一致の場合に前記制限記載事項を無効にするよう前記ＨＰ取得手段で取得されたホームページのデータを改変することが好ましい。
【００１２】
本発明に係る会員制コミュニティサイトの記載制限システムは、当該コミュニティサイトの外部のホームページへのリンクを事前に無効にすることができる。このため、未成年者にとって有害な成人向けのホームページや、差別用語や卑猥用語などが記載されているホームページへのリンクを未然に防ぐことができる。なお、この場合、本発明に係る会員制コミュニティサイトの記載制限システムは、当該コミュニティサイト内のホームページ相互間でのリンクは可能である。
【００１３】
本発明に係る会員制コミュニティサイトの記載制限システムは、当該コミュニティサイト内では常に差別用語や卑猥用語などの制限記載事項および外部のホームページへのリンクが事前に無効にされたホームページのみが提供されているため、安心して子供に閲覧させることができる。
【００１４】
本発明に係る会員制コミュニティサイトの記載制限システムは、前記ＨＰ改変手段は、前記ＨＰ取得手段で取得されたホームページのデータから前記制限検索手段で検索された制限記載事項を削除してもよい。
【００１５】
本発明に係る会員制コミュニティサイトの記載制限システムは、前記ＨＰ改変手段は、前記ＨＰ取得手段で取得されたホームページのデータに前記制限検索手段で検索された制限記載事項のリンクのコマンドを無効にするデータを追加してもよい。
【００１６】
また、本発明に係る会員制コミュニティサイトの記載制限システムは、前記ＨＰ改変手段は、前記ＨＰ取得手段で取得されたホームページのデータに前記制限検索手段で検索された制限記載事項によるリンクを制限するコマンドを追加してもよい。
【００１７】
これらの場合、リンク先アドレス情報などの制限記載事項を削除、リンクのコマンドを無効にするデータを追加、または、リンクを制限するコマンドを追加することにより、リンク先アドレスなどの制限記載事項を事前に無効にすることができる。
【００１８】
本発明に係る会員制コミュニティサイトの記載制限システムは、前記ＨＰ公開手段で公開されたホームページのアドレスを前記アドレス記憶手段に追加して記憶するアドレス追加手段を有することが好ましい。
【００１９】
この場合、本発明に係る会員制コミュニティサイトの記載制限システムは、当該コミュニティサイト内に新たに開設されたホームページのアドレスを追加して、そのホームページへのリンクを可能にする。
【００２０】
【発明の実施の形態】
以下、図面に基づき、本発明の実施の形態について説明する。
図１乃至図３は、本発明の実施の形態の会員制コミュニティサイトの記載制限システムを示している。なお、本発明の実施の形態の記載制限方法は、その記載制限システムにより実行される方法であり、その記載制限プログラムを記録したハードディスク、ＣＤ−ＲＯＭ、フロッピーディスクなどのコンピュータ読み取り可能な記録媒体によりコンピュータに実行させることができる。
【００２１】
図１に示すように、インターネット１などのコンピュータネットワークには、電話回線などを経由してサーバ２および多数の端末コンピュータ３が接続される。サーバ２および端末コンピュータ３は、それぞれ、ＣＰＵにより構成される制御ステップ、プログラムを記憶したハードディスクメモリ、各種ファイルを記憶したメモリ、キーボードやマウスなどの入力ステップ、モニタやプリンタなどの出力ステップおよび通信ステップを有している。なお、端末コンピュータ３は、パーソナル・コンピュータ、携帯電話、携帯情報端末（ＰＤＡ）などの各種端末のいずれであっても良い。
【００２２】
ここで、図１に示すように、サーバ２は、会員制コミュニティサイト４を開設しており、コミュニティサイト４内には複数のホームページが開設されている。サーバ２には、複数の会員情報端末３がインターネット１を介して接続されている。
図２に示すように、サーバ２は、主制御部１０と、処理手段１１と、記憶手段１２と、受信手段１３と、送信手段１４とをコンピュータの機能として有している。
【００２３】
主制御部１０は、ＣＰＵ等から構成され、各部の制御や、データの転送、種々の演算等を行う。処理手段１１は、ホームページのデータの中から制限記載事項を検索する制限検索手段１５と、検索された制限記載事項を無効にするようホームページのデータを改変するＨＰ改変手段１６と、ホームページのデータをコミュニティサイト４内に公開するＨＰ公開手段１７とを有する。
【００２４】
記憶手段１２は、コミュニティサイト４内に開設されるホームページの制限記載事項を記憶する制限記憶手段１８と、コミュニティサイト４内に開設済みのホームページのアドレスを記憶するアドレス記憶手段１９と、改変されたホームページのデータを記憶するＨＰ記憶手段２０と、公開されたホームページのアドレスをアドレス記憶手段１９に追加して記憶するアドレス追加手段２１とを有する。
【００２５】
受信手段１３は、会員情報端末３からホームページのデータを取得するＨＰ取得手段２２を有する。送信手段１４は、検索された制限記載事項の検索情報を会員情報端末３に送信する検索情報送信手段２３を有する。
【００２６】
次に、図３を参照して、会員制コミュニティサイトの記載制限システムの処理手順について説明する。
当該コミュニティサイト４内に開設されるホームページの制限記載事項をあらかじめ設定しておき、これを制限記憶手段１８により記憶しておく。制限記載事項は、例えばリンク先アドレスを示す記載事項、差別用語、卑猥用語などを含む。また、当該コミュニティサイト４内に開設済みのホームページのアドレスを、あらかじめアドレス記憶手段１９により記憶しておく。
【００２７】
当該コミュニティサイト４の会員が、新たにホームページを開設したり、既に開設済みのホームページを更新したりするために、新たなホームページのデータを送信してくると（ステップ３１）、会員情報端末３からそのホームページのデータをＨＰ取得手段２２により取得する（ステップ３２）。取得されたホームページのデータの中から、制限記憶手段１８に記憶された制限記載事項を、制限検索手段１５により検索する（ステップ３３）。
【００２８】
検索された制限記載事項を無効にするよう、ホームページのデータをＨＰ改変手段１６により改変する。ここで、検索された制限記載事項がリンク先アドレスの場合には、アドレス記憶手段１９に記憶されたアドレスと不一致のときに、そのリンク先アドレスを削除する（ステップ３４）。なお、リンクのコマンドを無効にするデータを追加したり、リンクを制限するコマンドを追加したりすることにより、リンク先アドレスを事前に無効にすることもできる。また、検索された制限記載事項が差別用語、卑猥用語などの場合には、これらを削除し、その代わりに他の記号等を挿入する（ステップ３５）。
【００２９】
改変されたホームページのデータを、ＨＰ記憶手段２０により記憶する（ステップ３６）。制限検索手段１５で検索された制限記載事項の検索情報を、検索情報送信手段２３により、会員情報端末３に電子メールにて送信する（ステップ３７）。記憶されたホームページのデータを当該コミュニティサイト４内にＨＰ公開手段１７により公開する。公開されたホームページのアドレスを、アドレス追加手段２１により、アドレス記憶手段１９に追加して記憶する。これにより、このホームページへのリンクを可能にすることができる。
【００３０】
この会員制コミュニティサイトの記載制限システム、記載制限方法、記載制限プログラムでは、当該コミュニティサイト４の外部のホームページへのリンクを事前に無効にすることができる。このため、未成年者にとって有害な成人向けのホームページや、差別用語や卑猥用語などが記載されているホームページへのリンクを未然に防ぐことができる。なお、この場合、当該コミュニティサイト４内のホームページ相互間でのリンクは可能である。
【００３１】
この会員制コミュニティサイトの記載制限システム、記載制限方法、記載制限プログラムでは、制限記載事項以外の他の情報は閲覧可能のままでホームページを提供することができる。このため、ホームページ内の一部の情報が無効になっても、そのホームページ内の他の有用な情報は閲覧することができる。
【００３２】
この会員制コミュニティサイトの記載制限システム、記載制限方法、記載制限プログラムでは、当該コミュニティサイト４内では常に差別用語や卑猥用語などの制限記載事項および外部のホームページへのリンクが事前に無効にされたホームページのみが提供されているため、安心して子供に閲覧させることができる。
【００３３】
【発明の効果】
本発明によれば、差別用語や卑猥用語などの有害な情報および外部のホームページへのリンクを事前に無効にして、他の情報は閲覧可能のままでホームページを提供することができる会員制コミュニティサイトの記載制限システム、記載制限方法および記載制限プログラムを提供することができる。
【図面の簡単な説明】
【図１】本発明の実施の形態の会員制コミュニティサイトの記載制限システムの全体構成を示す説明図である。
【図２】図１に示す会員制コミュニティサイトの記載制限システムのサーバの構成を示すブロック図である。
【図３】図１に示す会員制コミュニティサイトの記載制限システムの処理手順を示すフローチャートである。
【符号の説明】
１    インターネット
２    サーバ
３    端末コンピュータ
４    コミュニティサイト
１０  主制御部
１１  処理手段
１２  記憶手段
１３  受信手段
１４  送信手段
１５  制限検索手段
１６  ＨＰ改変手段
１７  ＨＰ公開手段
１８  制限記憶手段
１９  アドレス記憶手段
２０  ＨＰ記憶手段
２１  アドレス追加手段
２２  ＨＰ取得手段
２３  検索情報送信手段
【図１】
2004164140.tif 000003
【図２】
2004164140.tif 000004
【図３】
2004164140.tif 000005